(57)【特許請求の範囲】
【請求項１】
評価対象となる表示装置に、移動体の画面上の移動位置に応じて移動速度が変化する速度変化動画を表示する速度変化動画表示ステップと、
前記速度変化動画を見ている評価者が前記移動体の残像感を判定した際の判定操作信号を検出する判定操作検出ステップと、
前記判定操作信号を検出すると、前記速度変化動画を、前記移動体の画面上の移動位置に対応した速度を示す速度スケールを表示した速度マップ画面に切替えて表示する速度マップ表示ステップと、
を備えたことを特徴とする画質評価方法。
【請求項２】
請求項１記載の画質評価方法に於いて、
前記速度変化動画を見ている評価者が前記移動体の残像感を判定した際の判定操作信号から画面上の判定位置を検出する判定位置検出ステップと、
前記検出された判定位置に基づいて前記移動体の残像感発生速度を検出する残像感発生速度検出ステップと、
を備えたことを特徴とする画質評価方法。
【請求項３】
評価対象となる表示装置に、移動体の画面上の移動位置に応じて輝度が変化する輝度変化動画を表示する輝度変化動画表示ステップと、
前記輝度変化動画を見ている評価者が前記移動体の残像感を判定した際の判定操作信号を検出する判定操作検出ステップと、
前記判定操作信号を検出すると、前記輝度変化動画を、前記移動体の画面上の移動位置に対応した輝度を示す輝度スケールを表示した輝度マップ画面に切替えて表示する輝度マップ表示ステップと、
を備えたことを特徴とする画質評価方法。
【請求項４】
評価対象となる表示装置に、移動体の画面上の移動位置に応じて彩度が変化する彩度変化動画を表示する彩度変化動画表示ステップと、
前記彩度変化動画を見ている評価者が前記移動体の残像感を判定した際の判定操作信号を検出する判定操作検出ステップと、
前記判定操作信号を検出すると、前記彩度変化動画を、前記移動体の画面上の移動位置に対応した彩度を示す彩度スケールを表示した彩度マップ画面に切替えて表示する彩度マップ表示ステップと、を備えたことを特徴とする画質評価方法。
【発明の詳細な説明】
【技術分野】
【０００１】
本発明は、液晶テレビ等の表示装置における画質評価方法，プログラム及び装置に関し、特に、応答速度に起因した移動画像の残像感を評価する画質評価方法、プログラム及び装置に関する。
【背景技術】
【０００２】
従来、液晶テレビに代表される薄型テレビの高画質化を図るため、様々な画質改善技術が開発されており、これに対し画質改善の度合いを客観的に評価する手法が求められている。
【０００３】
薄型テレビに使用される液晶パネルは応答速度が遅いという特性があり、動きの速い映像の残像感が問題とされている。動きのある映像の評価は静止画の評価より一般に難しく、客観的な評価方法が求められている。
【０００４】
液晶パネルの応答性能を測定する方法として、ＭＰＲＴ法（Ｍｏｖｉｎｇ  Ｐｉｃｔｕｒｅ  Ｒｅｓｐｏｎｓｅ  Ｔｉｍｅ）による応答速度測定装置がある。ＭＰＲＴ法は図２２のように、縦縞模様のテストパターンの横スクロール表示をカメラで追尾し、撮像した表示画像１０２の輝度分布１０４を求め、黒レベルから白レベルへ変化している時間を評価時間Ｔとして測定する。この評価時間Ｔは液晶パネルの応答時間に対応しており、評価時間が短いほど応答時間が短く、残像感が少ないと推測することができる。
【特許文献１】特開２００４−１４４８３１号公報
【発明の開示】
【発明が解決しようとする課題】
【０００５】
しかしながら、このような従来のＭＰＲＴ法による応答速度測定装置は、動きのある映像に対する液晶パネルの応答時間を客観的に検出することができるが、装置で測定した評価時間は必ずしも人間の目で感知する残像感とは一致せず、評価時間から残像感があると推定しても、人間の目では残像感を感じない場合もあり、人の目により残像感の有無を判断する官能検査が必要となる。
【０００６】
残像感の官能検査方法としては、移動速度が一定のパターンを人に見せ、残像感発生の有無を判断させればよい。しかし、この方法は、異なる移動速度をもつ何種類かのパターンにつき、それぞれ複数回移動パターンの映像を見せて検査する必要があるため、測定時間が長くなると共に、微妙な移動速度の変化では人による判定が不安定になるという問題があった。
【０００７】
本発明は、人による残像感の官能検査を、より短時間で且つより良い評価精度で安定して得られるようにする画質評価方法、プログラム及び装置を提供することを目的とする。
【課題を解決するための手段】
【０００８】
（画質評価方法）
本発明は速度変化動画を用いた画質評価方法を提供する。即ち本発明の画質評価方法は、
評価対象となる表示装置に、移動体の画面上の移動位置に応じて移動速度が変化する速度変化動画を表示する（望ましくは繰り返し表示する）速度変化動画表示ステップと、
速度変化動画を見ている評価者が移動体の残像感を判定した際の判定操作信号を検出する判定操作検出ステップと、
判定操作信号を検出すると、速度変化動画を、移動体の画面上の移動位置に対応した速度を示す速度スケールを表示した速度マップ画面に切替えて表示する速度マップ表示ステップと、
を備えたことを特徴とする。
【０００９】
本発明の速度変化動画を用いた画質評価方法の別の形態にあっては、
評価対象となる表示装置に、移動体の画面上の移動位置に応じて移動速度が変化する速度変化動画を表示する速度変化動画表示ステップと、
速度変化動画を見ている評価者が移動体の残像感を判定した際の判定操作信号から画面上の判定位置を検出する判定位置検出ステップと、
検出された判定位置に基づいて移動体の残像感発生速度を検出する残像感発生速度検出部と、
を備えたことを特徴とする。
【００１０】
本発明は輝度変化動画を用いた画質評価方法を提供する。即ち本発明の画質評価方法は、
評価対象となる表示装置に、移動体の画面上の移動位置に応じて輝度が変化する輝度変化動画を表示する輝度変化動画表示ステップと、
輝度変化動画を見ている評価者が移動体の残像感を判定した際の判定操作信号を検出する判定操作検出ステップと、
判定操作信号を検出すると、輝度変化動画を、移動体の画面上の移動位置に対応した輝度を示す輝度スケールを表示した輝度マップ画面に切替えて表示する輝度マップ表示ステップと、
を備えたことを特徴とする。
【００１１】
本発明の輝度変化動画を用いた画質評価方法の別の形態にあっては、
評価対象となる表示装置に、移動体の画面上の移動位置に応じて輝度が変化する輝度変化動画を表示する輝度変化動画表示ステップと、
輝度度変化動画を見ている評価者が移動体の残像感を判定した際の判定操作信号から画面上の判定位置を検出する判定位置検出ステップと、
検出された判定位置に基づいて移動体の残像感発生輝度を検出する残像感発生輝度検出部と、
を備えたことを特徴とする。
【００１２】
本発明は彩度変化動画を用いた画質評価方法を提供する。即ち本発明の画質評価方法は、
評価対象となる表示装置に、移動体の画面上の移動位置に応じて彩度が変化する彩度変化動画を表示する彩度変化動画表示ステップと、
彩度変化動画を見ている評価者が移動体の残像感を判定した際の判定操作信号を検出する判定操作検出ステップと、
判定操作信号を検出すると、彩度変化動画を、移動体の画面上の移動位置に対応した彩度を示す彩度スケールを表示した彩度マップ画面に切替えて表示する彩度マップ表示ステップと、
を備えたことを特徴とする。
【００１３】
本発明の彩度変化動画を用いた画質評価方法の別の形態にあっては、
評価対象となる表示装置に、移動体の画面上の移動位置に応じて彩度が変化する彩度変化動画を表示する彩度変化動画表示ステップと、
彩度変化動画を見ている評価者が移動体の残像感を判定した際の判定操作信号から画面上の判定位置を検出する判定位置検出ステップと、
検出された判定位置に基づいて移動体の残像感発生彩度を検出する残像感発生彩度検出部と、
を備えたことを特徴とする。
【発明の効果】
【００１４】
本発明の速度変化動画を用いた画質評価にあっては、画面内を移動体が速度を変えながら動き回る速度変化動画、例えば丸い図形が左から右へ加速しながら動き抜けるような速度変化動画を繰り返し表示することで、実際の動画表示に近い状態を再現して残像感を正確に判定できる。
【００１５】
また速度変化動画の表示による画面上を移動する移動体の位置に応じて速度は一意に定まるため、移動体の位置と速度の関係をグラフ化した速度スケールを持つ速度マップ画面を準備し、評価者が速度変化動画から残像感が発生する位置を判定した際の判定操作により動画から速度マップに切替え表示し、評価者は残像感が発生した位置に対応するスケール値を読み取ることで、残像感の発生位置における移動体の移動速度、即ち残像感発生速度を簡単且つ正確に読み取ることができる。
【００１６】
また必要に応じて自動読取モードを選択することで、評価者が残像感を判定した位置から自動的に残像感発生速度を求めることもできる。
【００１７】
更に、移動体に残像感が発生する要因としては、移動速度の他には、背景との輝度差分値や、各種色彩値の差分値の影響が考えられる。そこで本発明にあっては、移動体の移動位置に応じて輝度や彩度が変化する輝度変化動画や彩度変化動画を表示して残像感が発生する輝度や彩度を測定して評価することができる。
【００１８】
この場合にも、移動体の位置と輝度又は彩度との関係をグラフ化した輝度スケール又は彩度変化スケールを持つマップ画面を準備し動画と切替えて表示し、評価者はブレを特定した位置に対応するスケール値を読み取ることで、残像感の発生位置における移動体の輝度又は彩度、即ち残像感判定輝度又は彩度を簡単且つ正確に読み取ることができる。
【発明を実施するための最良の形態】
【００１９】
図１は本発明による画質評価装置の第１実施形態を示した画質評価環境の説明図であり、この第１実施形態にあっては、速度変化動画を用いて画質を評価するようにしたことを特徴とする。
【００２０】
図１において、本実施形態で画質評価を行う部屋や設備を画質評価環境１０としており、画質評価環境には本発明の第１実施形態における画質評価装置１２−１、画質評価に使用する動画を再生する動画再生器１４、及び評価対象となる表示装置である液晶テレビ１６が設けられ、液晶テレビ１６は液晶パネル１８を備えている。
【００２１】
本実施形態の画質評価は評価者２２が目で見て評価するものであり、評価者２２の評価判断を画質評価装置１２−１に入力するため判定入力機器２０が設けられている。判定入力機器２０としては、画質評価装置１２−１として例えばパーソナルコンピュータを使用した場合にはキーボードやマウスなどが使用でき、また専用の押しボタンスイッチを使用することもできる。
【００２２】
評価対象となる液晶テレビ１６に対する評価者２２の位置は、例えば液晶パネルの前方２．０メートルというように測定条件を決めている。
【００２３】
画質評価環境１０に設置された画質評価装置１２−１に対しては、外部に設けたホスト２４がネットワークを介して接続されている。本実施形態にあっては、ホスト２４側で画質評価装置１２−１で画質評価に使用する速度変化動画、速度マップ画像及び動画管理情報などを準備作業により作成し、ネットワークを介して画質評価装置１２−１に転送して、画質評価に使用するようにしている。
【００２４】
このためホスト２４には評価動画作成部２６−１が設けられ、評価動画作成部２６−１により動画管理テーブル２８−１、速度変化動画ファイル３０−１及び速度マップ画像ファイル３２−１が作成される。
【００２５】
これら画質評価に必要な情報は、ホスト２４からネットワークを介して画質評価装置１２−１に制御部３４−１を介して転送され、同じく動画管理テーブル２８−１、速度変化動画ファイル３０−１及び速度マップ画像ファイル３２−１として格納されている。
【００２６】
画質評価装置１２−１には、速度変化動画表示部３６−１及び速度マップ画像表示部３８−１、判定操作検出部４０−１、判定位置検出部４２−１及び残像感発生速度検出部４４−１が設けられている。
【００２７】
速度変化動画表示部３６−１は、速度変化動画ファイル３０−１から移動体の画面上の移動位置に応じて移動速度が変化する速度変化動画を読み出して動画再生器１４に出力し、動画再生器１４で速度変化動画を液晶テレビ１６の液晶パネル１８に繰り返し表示する。
【００２８】
この液晶テレビ１６に表示された移動位置に応じて移動速度が変化する移動体を評価者２２が見て、移動体にボケが生ずる残像感の発生を確認すると、その位置にマウスカーソルなどのマーカを移動して指し示した状態で、判定入力機器２０のマウス、キーボード、あるいは押しボタン操作により、移動体の残像感を判定したことを示す判定操作信号を画質評価装置１２−１に送る。
【００２９】
判定入力機器２０からの判定操作信号は、判定操作検出部４０−１と判定位置検出部４２−１に入力される。本実施形態にあっては、判定操作検出部４０−１を有効とするユーザ読取モードと、判定位置検出部４２−１及び残像感発生速度検出部４４−１を有効とする自動読取モードの２つのモードがあり、いずれか一方のモードを制御部３４−１に対する初期設定操作で選択することができる。
【００３０】
制御部３４−１にユーザ読取モードを設定すると、判定操作検出部４０−１が有効に動作する。判定操作検出部４０−１は、液晶テレビ１６の液晶パネル１８に繰り返し表示されている速度変化動画を見た評価者２２の残像感を判定した際に操作した判定操作信号を検出すると、速度マップ画像表示部３８−１に検出出力を生じ、動作させる。
【００３１】
速度マップ画像表示部３８−１は、速度マップ画像ファイル３２−１から速度マップ画像を読み出し、それまで表示していた速度変化動画を停止し、動画再生器１４を介して静止画像である速度マップ画像を液晶テレビ１６に切り替え表示する。
【００３２】
速度マップ画像は、移動体の画面上の移動位置に対応した速度を示す速度スケールを表示しており、評価者２２が判定入力機器２０で残像感を判定した位置を例えば液晶パネル１８上のカーソルなどで指し示していることから、速度マップ画像のマーカが位置している速度スケールから、移動体の残像感を判定した残像感判定速度を簡単に読み取ることができる。
【００３３】
一方、制御部３４−１で自動読取モードを設定した場合には、判定位置検出部４２−１と残像感発生速度検出部４４−１が有効となる。判定位置検出部４２−１は、液晶テレビ１６に繰り返し表示されている速度変化動画を見ている評価者２２が移動体の残像感を判定した際の判定操作信号から画面上のマーカで指し示している判定位置を検出する。
【００３４】
残像感発生速度検出部４４−１は、判定位置検出部４２−１で検出された判定位置に基づいて、動画管理テーブル２８−１を参照して移動体の残像感発生速度を検出し、必要があれば液晶パネル１８の片隅などに表示し、またデータとして、図示しないメモリに記録する。
【００３５】
図２は図１の第１実施形態における動画管理テーブル、速度変化動画及び速度マップ画像の作成処理を示した説明図である。図１の第１実施形態にあっては、速度変化動画を作成する際には、まず動画管理テーブル２８−１を準備する。もちろん、図１の実施形態における速度変化動画の作成する準備作業はホスト２４側で行われる。
【００３６】
動画管理テーブル２８−１は、速度変化動画を、その動画時間分のフレームを示すフレーム番号ＦＬ１〜ＦＬｎに分けて管理している。速度変化画像を作成する際には、まず着目する移動体を決め、続いて画面上での移動体の移動パスＰ（ｔ）を決める。
【００３７】
この移動パスＰ（ｔ）は例えば画面を左端から右端に向けて直線的に移動する経路である。続いて、移動体の画面上の移動位置に応じて移動速度を変化させるためのパラメータとして例えば一定加速度αを決める。このように加速度αを決めると、画面上で移動体は左から右に移動しながら一定加速度で移動速度が増加することになる。
【００３８】
移動体の移動パスと速度変化の加速度αが決まれば、フレーム番号ＦＬ１〜ＦＬｎで指定される各フレームの移動体位置Ｐ１〜Ｐｎが決まる。この移動体位置Ｐ１〜Ｐｎは、具体的には画面の２次元座標Ｐ（ｘ，ｙ）である。
【００３９】
動画管理テーブル２８−１が作成できたならば、これに基づいて、その下に示すように、フレーム番号ＦＬ１〜ＦＬｎに対応したフレーム４６−１〜４６−ｎで構成される速度変化動画４６を作成する。この実施形態において、フレーム４６−１〜４６−ｎの移動体４８−１〜４８−ｎは黒丸で示している。
【００４０】
速度変化動画４６を構成するフレーム４６−１〜４６−ｎは、例えば１／３０秒周期でフレーム切替えすることで動画を表示している。したがって、フレームの切替時間ｔはｔ＝（１／３０）秒の一定時間となる。
【００４１】
いま先頭のフレーム４６−１の位置Ｐ１の移動体４８−１がスタート位置で停止していると、次のフレーム４６−２の移動体４８−２の速度Ｖ及び位置Ｐ２までの移動距離Ｌ１２は次のように求まる。ここで移動体は、一定加速度αで移動速度が変化するものとする。
Ｖ＝αｔ
Ｌ１２＝αｔ2
【００４２】
そして３番目のフレーム４６−３から後ろに順次示すように、フレーム切替えが進むほど移動体の速度は増加し、移動距離もＬ２３，Ｌ２４・・・というように速度増加に応じて増してゆく。
【００４３】
このようなフレーム４６−１〜４６−ｎから構成される速度変化動画４６が作成できたならば、フレーム４６−１〜４６−ｎにおける移動体位置Ｐ１〜Ｐｎを目盛りとした速度スケール５２を持つ速度マップ画像５０を作成する。
【００４４】
速度マップ画像５０の速度スケール５２は、速度変化動画４６におけるフレーム４６−１〜４６−ｎの移動体４８−１〜４８−ｎの位置Ｐ１〜Ｐｎをマージすることで作成することができる。
【００４５】
なお、図２の速度スケール５２は、一定のフレーム切替時間ごとの移動体位置の目盛りに対する速度を示しているが、実際には速度スケール５２には等間隔の目盛りを付け、それぞれの目盛りに移動位置に対応した速度表示をすることになる。
【００４６】
図３は図１の第１実施形態における画質評価の測定処理を示した説明図である。図３において、速度変化動画４６及び速度マップ画像５０は、図１のようにホスト２４側で作成され、画質評価装置１２−１に速度変化動画ファイル３０−１及び速度マップ画像ファイル３２−１として動画管理テーブル２８−１と共に格納されている。
【００４７】
速度変化動画４６は、例えば白丸で示す移動体４８が左側から加速度αで移動速度を増加させながら右側に移動する画像であり、これを評価対象となる液晶テレビ１６に繰り返し画像出力することで、動画表示画面５４に示すように速度変化動画が繰り返し表示される。
【００４８】
この動画表示画面５４に示すように、速度変化動画４６を繰り返し表示した状態で、評価者２２は画面を右から左に速度を増加させながら移動する移動体を観察し、移動体にブレが生ずる残像感発生位置を認識すると、例えばその位置に矢印で示すマーカ５５をセットし、図１に示す判定入力機器２０の操作で判定操作信号を画質評価装置１２−１に供給する。
【００４９】
ここで制御部３４−１がユーザ読取モードを設定していたとすると、評価者２２による判定操作信号を受けて、動画表示画面５４から予め準備している速度スケール５２を備えた速度マップ画像５０を示す速度マップ画面５６に切り替わる。
【００５０】
このとき、評価者２２が残像感を発生した移動体位置に合わせてセットしたマーカ５５はそのまま残っていることから、速度マップ画面５６に切り替わると、残像感発生位置を示すマーカ５５で示す位置の速度を速度スケール５２から読むことで、残像感発生速度を評価者２２は簡単に知ることができる。
【００５１】
なお図３はユーザ読取モードの例であるが、自動読取モードの場合には、評価者２２が動画表示画面５４を見て移動体にブレが現れたときの判定スイッチ操作から移動体位置、例えばそのときの動画フレーム番号を検出し、動画管理テーブル２８−１から残像感発生速度を検出して画面表示あるいはメモリにログされ、速度マップ画面５６への切替表示は行わないが、必要に応じて切替表示しても良い。
【００５２】
図４は図１の第１実施形態における画質評価装置１２−１が実現されるコンピュータのハードウェア環境を示したブロック図である。図４において、コンピュータはＣＰＵ５８を有し、ＣＰＵ５８のバス６０にＲＡＭ６２、ＲＯＭ６４、ハードディスクドライブ６６、キーボード７０，マウス７２，ディスプレイ７４を接続するデバイスインタフェース６８、更にネットワークアダプタ７６を接続している。
【００５３】
ハードディスクドライブ６６には、本実施形態の画質評価処理に必要なプログラム、及び図１に示した動画管理テーブル２８−１、速度変化動画ファイル３０−１及び速度マップ画像ファイル３２−１の画質評価に必要なデータが格納されている。
【００５４】
コンピュータを起動すると、ＲＯＭ６４のブートコードの実行による起動処理を経てハードディスクドライブ６６からＲＡＭ６２にＯＳがロードされて実行され、続いてＯＳの実行に伴いハードディスクドライブ６６から画質評価の機能を実現するプログラム及び速度変化動画などのファイルデータをＲＡＭ６２にロードし、ＣＰＵ５８により画質評価機能を実現するプログラムを実行する。
【００５５】
図５は図１の第１実施形態における評価動画作成処理を示したフローチャートであり、ホスト２４側の準備作業となる処理である。図５において、第１実施形態の評価動画作成処理は、ステップＳ１で着目する移動体を決め、続いて、着目する移動体の画面上の移動パスＰ（ｔ）を作成する。
【００５６】
続いてステップＳ２で、作成した移動パスＰ（ｔ）を持つ移動体の移動速度Ｖ（ｘ，ｙ）を検出する。具体的には、図２に示したように、移動体の移動パスは画面の左から右に移動する直線のパスであり、移動体の移動位置に伴う移動速度は一定加速度αで増加する場合である。
【００５７】
これによって速度変化動画を構成するフレームごとの移動体位置Ｐ１〜Ｐｎが図２の移動管理テーブル２８−１のように決まり、移動体位置Ｐ１〜Ｐｎが決まれば、フレームごとの切替時間はフレーム周期ｔ＝（１／３０）秒であることから、移動速度Ｖは
Ｖ＝αｔ
となり、また移動位置を決める移動距離Ｌは
Ｌ＝αｔ2
として求まる。
【００５８】
そしてステップＳ３で、フレーム番号に対応して、図２に示すようにＰ１〜Ｐｎと速度Ｖ１〜Ｖｎを登録した動画管理テーブル２８−１を作成する。
【００５９】
次にステップＳ４で、動画管理テーブル２８−１に基づいて図２のフレーム単位の連続シーンで示すように速度変化動画４６を作成する。更にステップＳ５で、速度変化動画４６におけるフレーム４６−１〜４６−ｎの移動体４８−１〜４８−ｎの位置とその速度から、速度スケール５２を持つ速度マップ画像５０を作成する。
【００６０】
図６は第１実施形態における既存の動画を利用した評価画像の作成処理を示したフローチャートである。図５の実施形態にあっては評価画像作成として専用の動画を作る場合を例にとっているが、図６の実施形態にあっては既存の動画を利用して評価画像を作成することを特徴とする。
【００６１】
図６において、ステップＳ１で評価に使用する動画を読み込む。この評価に使用する動画としては、画面内を速度を変えながら飛翔する鳥や、画面内を移動する動物などの動画が利用できる。続いてステップＳ２で、読み込んだ動画の中で画質評価のために着目する移動体を決定する。例えば画面内で飛翔する鳥などを、着目する移動体に決定する。
【００６２】
次にステップＳ３で動画における移動体の移動速度Ｖ（ｘ，ｙ）を算出する。この移動速度Ｖの算出は、フレームごとに移動体位置を求め、移動体の画面上における移動距離Ｌをフレーム周期ｔ＝（１／３０）秒で割った実際に移動体が画面上で移動する速度を算出する。
【００６３】
次に、ステップＳ４で、例えば図２に示したようなフレーム番号に対応して移動体位置と速度を登録した動画管理テーブル２８−１が作成できる。更にステップＳ５で既存の動画の中の着目する移動体について求めた画面上の位置と速度から速度スケール５２を表示する速度マップ画像５０を作成する。尚、既存動画を用いた場合の速度スケールは、移動体の移動速度は位置の変化とともに連続的に変化せず、位置に対し算出されたランダムな速度を示したスケールとなる。
【００６４】
図７はユーザ読取モードによる図１の第１実施形態における画質評価のための計測処理を示したフローチャートである。図７において、ユーザ読取モード測定処理は、ステップＳ１で画質評価装置１２−１にホスト２４からの転送で格納している速度変化動画ファイルから速度変化動画を速度変化動画表示部３６−１で読み出し、動画再生器１４に出力して、評価対象となる液晶テレビ１６の液晶パネル１８に繰り返し速度変化動画を表示させる。
【００６５】
この状態で評価者２２は、例えば図３に示すように動画表示画面５４の表示状態で画面の左から右に速度を増加させながら移動する移動体を観測し、移動体にブレが生ずる残像感発生位置を認識したら、その位置に図３の動画表示画面５４に示すようにマーカ５５をセットし、カーソル判定入力機器２０の操作により判定操作検出信号を画質評価装置１２−１に出力する。
【００６６】
続いてステップＳ３で評価完了か否かチェックしており、残像感の判定操作信号が得られた場合には評価完了と判断し、ステップＳ４で図３の速度マップ画面５６に示すように動画表示画面５４から切り替え、速度スケール５２を表示する。
【００６７】
このとき残像感判定位置を示すマーカ５５が残っていることから、マーカ５５が指し示す速度スケール５２の位置から評価者２２は自ら判定した残像感発生速度を簡単に読み取ることができる。実際の画質評価では図７に示すユーザ読取モード測定処理を何回か繰り返し、その速度画面から切り替えられた速度マップ画面の速度スケールの読取値の平均値を求めることで、安定した残像感発生速度を検出できる。
【００６８】
図８は自動読取モードによる図１の第１実施形態における測定処理を示したフローチャートである。自動読取モードによる測定処理は、ステップＳ１で評価用の速度変化画像を表示し、ステップＳ２で判定入力機器２０、例えば残像感判定スイッチの信号読取りを行い、ステップＳ３で残像感判定スイッチの信号が得られていれば評価完了と認識し、ステップＳ４でユーザが残像感判定スイッチを操作した画面上の残像感発生位置Ｐを読み取り、ステップＳ５で移動体位置Ｐにより動画管理テーブル２８−１から対応する残像感発生速度Ｖを検出する。
【００６９】
具体的には、ステップＳ４で残像感判定スイッチの操作信号を検出したときのフレーム番号を再生中の速度変化動画から取得し、このフレーム番号により図２の動画管理テーブル２８−１を参照することで、対応する速度を自動的に検出することができる。
【００７０】
ステップＳ５で自動的に検出した残像感発生速度は、液晶テレビ１６上の画面隅に数値表示してもよいし、検出した残像感移動速度を画質評価装置１２−１のメモリにログ情報として例えば評価者２２のＩＤと共に記録し、測定後にホスト２４に転送して処理するようにしてもよい。
【００７１】
図９は輝度変化画像を用いた本発明による画質評価装置の第２実施形態を示した説明図である。図９において、画質評価環境１０には、第２実施形態の画質評価装置１２−２、動画再生器１４、評価対象となる表示装置である液晶テレビ１６が設けられ、液晶テレビ１６は液晶パネル１８を備えている。また評価者２２の評価判断を画質評価装置１２−２に入力するための判定入力機器２０が設けられている。
【００７２】
画質評価環境１０に設置された画質評価装置１２−２に対してはホスト２４がネットワークを介して接続されている。ホスト２４には、本実施形態にあっては評価動画作成部２６−２が設けられ、動画管理テーブル２８−２、輝度変化動画ファイル３０−２、及び輝度マップ画像ファイル３２−２を準備作業として作成するようにしている。
【００７３】
画質評価装置１２−２には制御部３４−２が設けられ、制御部３４−２は図１の第１実施形態と同様、ユーザ読取モードと自動読取モードのいずれか一方の動作モードを設定できる。また画質評価装置１２−２には、ホスト２４で作成された動画管理テーブル２８−２、輝度変化動画ファイル３０−２、及び輝度マップ画像ファイル３２−２がネットワークを介して転送保持されている。
【００７４】
画質評価装置１２−２には、輝度変化動画を使用した画質評価のため、輝度変化動画表示部３６−２、輝度マップ画像表示部３８−２、判定操作検出部４０−２、判定位置検出部４２−２及び残像感発生輝度検出部４４−２が設けられている。
【００７５】
制御部３４−２でユーザ読取モードを設定した場合、輝度変化動画表示部３６−２が評価対象となる液晶テレビ１６に、輝度変化動画ファイル３０−２に格納している移動体の画面上の移動位置に応じて輝度が変化する輝度変化動画を動画再生器１４に出力し、動画再生器１４で液晶テレビ１６上に繰り返し表示させる。
【００７６】
判定操作検出部４０−２は、液晶テレビ１６に繰り返し表示される輝度変化動画を評価者２２が見て、例えば画面の左から右に一定速度で移動しながら輝度が同じく一定速度で低下する移動体を観察し、移動体の進行方向の後ろ側にブレを生ずる残像感発生位置を認識すると、その位置に矢印などのマウスカーソルなどのマーカを位置合せして、判定入力機器２０の操作により出力される判定操作信号を検出する。
【００７７】
判定操作検出部４０−２で検出された判定操作は輝度マップ画像表示部３８−２に出力され、輝度マップ画像表示部３８−２は輝度マップ画像ファイル３２−２から移動体の画面上の移動位置に対応した輝度を示す輝度スケールを表示した輝度マップ画面を読み出し、動画再生器１４による輝度変化動画の再生を停止して輝度マップ画像の表示に切り替える。この輝度マップ画像の表示切替えにより、評価者２２は残像感を判定したマーカが示す輝度スケールの目盛りから残像感発生輝度を読み取ることができる。
【００７８】
一方、制御部３４−２で自動読取モードを設定した場合には、輝度変化動画表示部３６−２による液晶テレビ１６に対する移動動画の繰返し表示はユーザ読取モードと同じであるが、評価者２２が画面上を移動する移動体の輝度変化につき残像感を認識して操作した際の判定操作位置を判定位置検出部４２−２で検出し、残像感発生輝度検出部４４−２で検出した画面上の判定位置、例えば判定位置のフレーム番号により動画管理テーブル２８−２を参照し、対応する残像感発生輝度を検出し、液晶テレビ１６の画面隅などに表示するか、あるいは検出した残像感発生輝度をメモリに評価者２２のＩＤと共に記録し、測定後にホスト２４に転送することになる。
【００７９】
図１０は図９の第２実施形態における動画管理テーブル、輝度変化動画及び輝度マップ画像の作成処理を示した説明図であり、図９のホスト２４側で準備作業として作成される。
【００８０】
図１０において、まず輝度変化動画を作成する際に使用する動画管理テーブル２８−２を作成する。動画管理テーブル２８−２は、輝度変化動画の動画再生時間に亘るフレーム数に対応したフレーム番号ＦＬ１〜ＦＬｎを持ち、それぞれ移動体位置Ｐ１〜Ｐｎと対応する輝度Ｂ１〜Ｂｎを格納している。
【００８１】
移動体位置は画面上の移動体の移動パスを決め、この移動パスに沿って例えば一定速度で移動体が移動する際の各フレームの移動位置Ｐ１〜Ｐｎに対応した例えば明るい状態から暗い状態に変化する輝度Ｂ１〜Ｂｎを設定している。
【００８２】
動画管理テーブル２８−２に基づき、その下に示す輝度変化動画７８が作成できる。輝度変化動画７８はフレーム７８−１〜７８−ｎを持ち、黒丸で示す移動体８０−１〜８０−ｎが一定速度で画面上を移動しており、その移動体位置Ｐ１〜Ｐｎごとに輝度Ｂ１〜Ｂｎに変化している。
【００８３】
ここで移動体８０−１〜８０−ｎの画面上の速度としては、例えば図２に示したような速度変化動画で残像感を発生し易い速度付近に決めておく。
【００８４】
輝度マップ画像８２は、輝度変化動画７８のフレーム７８−１〜７８−ｎにおける移動体８０−１〜８０−ｎの位置とその輝度から輝度スケール８４を作成している。
【００８５】
図１１は図９の第２実施形態における画質評価測定処理を示した説明図である。図１１において、予め準備した輝度変化動画７８を画面出力し、動画表示画面８６に示すように、例えば黒を背景に移動体として表示する円形図形が静止状態から一定速度で移動しながら輝度を最大輝度から黒までの間で変化させる輝度変化動画７８を繰り返し表示する。
【００８６】
このような輝度変化動画７８の表示において、動画表示画面８６上で輝度がある値を下回ると、評価者２２によって、円形図形である対象物の後方の境界が失われてブレたように見え、残像感が発生する。そこで評価者２２は、残像感が発生した位置を覚えていて例えばマーカ８８で示しておき、画質評価の結果が得られたものとして判定入力機器２０の判定操作を行う。
【００８７】
評価者２２による輝度変化動画に対する例えば残像感発生の判定操作が行われると、その位置をマーカ８８で指し示しているため、判定操作信号を受けて右側に示す表示切替えで輝度マップ画面９０に切り替わり、輝度スケール８４が表示され、輝度スケール８４のマーカ８８で示す位置を見ることで、残像感が発生する輝度を読み取ることができる。
【００８８】
なお図１１はユーザ読取モードの例であるが、自動読取モードの場合には、評価者２２が動画表示画面８６を見て移動体にブレが現れたときの判定スイッチ操作から移動体位置、例えばそのときの動画フレーム番号を検出し、動画管理テーブル２８−２から残像感発生輝度を検出して画面表示あるいはメモリにログされ、輝度マップ画面９０への切替表示は行わないが、必要に応じて切替表示しても良い。
【００８９】
図１２は図９の第２実施形態における輝度変化動画を用いた評価動画のフローチャートであり、ホスト２４側の準備作業として作成される。
【００９０】
図１２において、評価動画作成処理は、ステップＳ１で着目する移動体の一定速度Ｖとなる表示画面上における移動パスＰ（ｔ）を作成する。これは、例えば画面を左から右に直線的に移動する移動パスである。もちろん、移動パスは直線であっても曲線であっても、適宜の軌跡が設定できる。
【００９１】
続いてステップＳ２で移動パスＰ（ｔ）を基に移動体の輝度変化Ｂ（ｘ，ｙ）を作成する。ここで移動体の移動速度は一定速度Ｖとしていることから、図１０に示したように、フレーム切替時間ｔ＝（１／３０）秒ごとの移動体の画面上の移動距離ＬはＬ＝Ｖｔとなり、移動位置Ｐ１〜Ｐｎが一義的に決まり、各位置ごとに例えば図１１に示したように、最大輝度から黒に向かって変化する輝度変化Ｂ（ｘ，ｙ）を設定して作成する。
【００９２】
続いてステップＳ３で、図１０に示すようなフレーム番号に対応して移動体位置Ｐ１〜Ｐｎと輝度Ｂ１〜Ｂｎを登録した動画管理テーブル２８−２を作成する。
【００９３】
続いてステップＳ４で、動画管理テーブル２８−２に基づき、その下側に示すようなフレーム７８−１〜７８−ｎからなる輝度変化動画７８を作成する。更にステップＳ５で輝度スケール８４を表示する輝度マップ画像８２を作成する。
【００９４】
図１３は既存の動画を利用した図９の第２実施形態における評価動画の作成処理を示したフローチャートである。図１３において、ステップＳ１で評価に使用する例えば鳥が飛翔しているような動画を読み込み、ステップＳ２で動画の中で着目する移動体例えば移動する鳥を決定する。
【００９５】
続いてステップＳ３で移動体の移動位置に対応した輝度変化を作成する。具体的には、フレームごとに移動体の移動位置を求め、その移動位置ごとに、移動体の輝度を検出して設定する。続いてステップＳ４で図１０に示したようなフレーム番号に対応して移動体位置と輝度を登録した動画管理テーブル２８−２を生成する。更にステップＳ５で、図１０に示したような輝度スケール８４を表示する輝度マップ画像８２を作成する。
【００９６】
図１４はユーザ読取モードによる図９の第２実施形態における測定処理を示したフローチャートである。図１４において、ユーザ読取モード測定処理は、ステップＳ１で評価用の輝度変化動画を図９に示すように評価対象となる液晶テレビ１６に表示し、この状態で、ステップＳ２で判定入力機器２０の例えば残像感判定スイッチの信号読取りを行っている。
【００９７】
評価者が残像感を判定するとその位置にマーカをセットして残像感判定スイッチを操作することから、残像感判定スイッチの信号読取りで判定操作が検出されると、ステップＳ３で判定完了が判別され、ステップＳ６で輝度マップ画像に切替え表示し、切り替えた輝度スケールの残像感判定位置を示すマーカから残像感判定輝度を読み取ることができる。
【００９８】
一方、ステップＳ１〜Ｓ３において輝度変化動画を繰返し表示しても、評価者２２が画面上を移動する輝度変化する移動体について残像感の発生を認識できない場合がる。この場合にはステップＳ４に進み、評価不能を示す判定入力機器２０の操作から評価不能を判別すると、ステップ５で移動速度の異なる輝度変化動画に変更し、ステップＳ１からの輝度変化動画の表示を繰り返す。
【００９９】
即ち、最初に表示した輝度変化動画から移動体の残像感が認識できない場合には、例えば移動体の速度を速くした輝度変化動画に変更して輝度変化動画の表示を繰り返す。移動体の移動速度が増加すれば、同じ輝度変化であったとしても残像感が出易いことから、画面上を移動して輝度が変化する移動体につき残像感発生を認識して判定操作を行うことで、残像感発生速度を輝度マップ画像の輝度スケールから読み取ることができる。
【０１００】
図１５は自動読取モードによる図９の第２実施形態における測定処理を示したフローチャートである。図１５の自動読取モード測定処理におけるステップＳ１〜Ｓ５の処理は、図１４のユーザ読取モードの測定処理と同じであるが、ステップＳ３で評価完了を判別すると、ステップＳ６に進み、残像感発生を認識した画面上の残像感判定スイッチの操作から認識して残像感発生位置Ｐを検出する。この残像感発生位置Ｐの検出は残像感判定スイッチを操作した際の動画フレーム番号である。続いてステップＳ７で例えば図１０の動画管理テーブル２８−２から移動体位置を示すフレーム番号に対応した輝度を読み取り、残像感発生輝度を検出することができる。
【０１０１】
図１６は彩度変化画像を用いた本発明による画質評価装置の第３実施形態を示した説明図である。図１６において、画質評価環境１０には、第３実施形態の画質評価装置１２−３、動画再生器１４、評価対象となる表示装置である液晶テレビ１６が設けられ、液晶テレビ１６は液晶パネル１８を備えている。また評価者２２の評価判断を画質評価装置１２−３に入力するための判定入力機器２０が設けられている。
【０１０２】
画質評価装置１２−３に対してはホスト２４がネットワークを介して接続され、ホスト２４側には評価動画作成部２６−３が設けられ、準備作業として動画管理テーブル２８−３、彩度変化動画ファイル３０−３及び彩度マップ画像ファイル３２−３を作成して格納しており、作成後にネットワークを介して画質評価装置１２−３に転送し、同じく動画管理テーブル２８−３、彩度変化動画ファイル３０−３、及び彩度マップ画像ファイル３２−３として格納している。
【０１０３】
画質評価装置１２−３には、彩度変化動画表示部３６−３、彩度マップ画像表示部３８−３、判定操作検出部４０−３、判定位置検出部４２−３及び残像感発生彩度検出部４４−３が設けられており、処理対象が彩度変化動画と彩度マップ画像である点以外は、基本的には図１の速度変化画像の場合と同じである。また制御部３４−３にあっては、画像評価の際にユーザ読取モードと自動読取モードのいずれか一方のモードを設定して動作させることができる。
【０１０４】
制御部３４−３でユーザ読取モードを設定した場合は、彩度変化動画表示部３６−３は、評価対象となる表示装置である液晶テレビ１６に、移動体の画面上の移動位置に応じて彩度が変化する彩度変化動画を繰り返し表示する。
【０１０５】
判定操作検出部４０−３は、制御部３４−３でユーザ読取モードを設定した際に動作し、評価者２２による判定入力機器２０からの残像感発生彩度を認識した際の判定操作信号を検出すると、彩度マップ画像表示部３８−３に出力し、それまで表示している彩度変化動画を停止し、彩度マップ画像ファイル３２−３から読み出した彩度スケールを有する彩度マップ画像の表示に切り替える。
【０１０６】
また制御部３４−３で自動読取モードを設定した場合には、判定位置検出部４２−３で評価者２２による残像感発生彩度の判定入力信号、例えば残像感判定スイッチの操作信号を検出すると、残像感発生彩度検出部４４−３により判定位置の動画のフレーム番号に対応した残像感発生彩度を動画管理テーブル２８−３から検出して液晶テレビ１６に表示し、またメモリにログして、測定後にホスト２４に評価結果を転送している。
【０１０７】
図１７は図１６の第３実施形態における動画管理テーブル、彩度変化動画及び彩度マップ画像の作成処理を示した説明図である。図１７の作成処理は、図１６に示したようにホスト２４側で準備作業として行われ、まず動画管理テーブル２８−３が作成される。
【０１０８】
動画管理テーブル２８−３は、画面上で移動体が例えば左から右に移動する移動パスを定め、この移動パスに従った動画再生時間に亘るフレーム数で決まるフレーム番号ＦＬ１〜ＦＬｎを登録し、移動体を一定速度で移動するものとして、移動パスに従った移動体位置Ｐ１〜Ｐｎを移動速度Ｖとフレーム切替時間ｔ＝（１／３０）秒から求める。
【０１０９】
フレーム９２−１〜９２−ｎにおいて、フレーム切替えごとの移動距離は移動速度Ｖが一定でフレーム切替時間がｔ＝（１／３０）秒であることから、Ｌ＝Ｖｔとして同じ距離となり、移動位置Ｐ１〜Ｐｎが一義的に求まる。
【０１１０】
続いて、移動体位置Ｐ１〜Ｐｎごとに、ある割合で変化する彩度Ｃ１〜Ｃｎを登録する。色彩Ｃ１〜Ｃｎの変化としては、例えば人間の可視波長帯域で短い波長から長い波長、またはその逆に、波長を段階的に変化させることで色彩を変化させる。
【０１１１】
次に動画管理テーブル２８−３に基づいて彩度変化動画９２を作成する。彩度変化動画９２のフレーム９２−１〜９２−ｎは、所定の背景色上で、一定速度で移動する移動体の彩度が時間の経過、即ち移動位置に対応して一定速度で変化する動画を構成するフレーム画像の集合となる。
【０１１２】
更に、移動体の移動位置に応じた彩度を示す目盛りを持った彩度スケール９６を有する彩度マップ画像９４を作成する。
【０１１３】
図１８は図１６の第３実施形態における評価画像作成処理を示したフローチャートであり、ホスト２４側での準備作業として行われる処理である。図１８において、評価画像作成処理は、ステップＳ１で着目する移動体を決め、移動体の一定速度Ｖの画面上における移動パスＰ（ｔ）を作成し、続いてステップＳ２で移動パスＰ（ｔ）に基づいて移動体の彩度変化Ｃ（ｘ，ｙ）を作成する。
【０１１４】
具体的には、表示動画のフレーム周期ｔと一定の移動速度Ｖからフレーム切替え毎の移動距離Ｌが求まり、移動距離Ｌが求まれれば画面上における移動位置Ｐ１〜Ｐｎが求まることから、各移動位置ごとに、ある割合で変化する彩度変化Ｃを設定する。
【０１１５】
このステップＳ２の処理により、ステップＳ３で図１７に示すようなフレーム番号に対応して移動体位置Ｐ１〜Ｐｎと彩度Ｃ１〜Ｃｎを登録した動画管理テーブル２８−３が作成できる。
【０１１６】
続いてステップＳ４で、動画管理テーブル２８−３に基づいて、図１７に示したようにフレーム９２−１〜９２−ｎからなる彩度変化動画９２を作成する。更にステップＳ５で、図１７に示すように彩度スケール９６を有する彩度マップ画像９４を作成する。
【０１１７】
図１９は既存の動画を利用した図１６の第３実施形態における彩度変化動画を用いた評価動画の作成処理を示したフローチャートである。図１９において、既存の動画を使用する評価動画作成処理は、ステップＳ１で評価に使用する動画を読み込み、ステップＳ２で動画の中で着目する移動体を決める。
【０１１８】
続いてステップＳ３で移動体の移動位置に対応した彩度変化Ｃ（ｘ，ｙ）を検出し、ステップＳ４で図１７に示したような動画管理テーブル２８−３を作成する。更にステップＳ５で動画管理テーブル２８−３を基に彩度スケールを表示する彩度マップ画像を作成する。
【０１１９】
図２０はユーザ読取モードによる図１６の第３実施形態における測定処理を示したフローチャートであり、図１６を参照して説明すると次のようになる。
【０１２０】
ユーザ読取モード測定処理は、ステップＳ１で画質評価装置１２−３の彩度変化動画表示部３６−３が彩度変化動画ファイル３０−３から彩度変化動画を読み出し、動画再生器１４に出力し、液晶テレビ１６に彩度変化動画を繰り返し表示させる。
【０１２１】
この彩度変化動画の再生状態で評価者２２が画面上を移動しながら彩度の変化する移動体を観察しており、移動体にブレが生ずる残像感を認識すると、判定位置にマーカをセットし、判定入力機器２０として例えば残像感判定スイッチを操作する。
【０１２２】
ステップＳ２は残像感判定スイッチの信号読込みを行っており、もし判定スイッチ信号が得られれば、ステップＳ３で評価完了と判断し、ステップＳ６で彩度スケールを有する彩度マップ画像を表示する。
【０１２３】
評価者２２は残像感を判定した場合、移動体の移動位置にマーカを設定していることから、彩度マップ画像に切り替えたときにマーカが指し示す彩度スケールから残像感発生彩度を簡単且つ容易に読み取ることができる。
【０１２４】
一方、ステップＳ１〜Ｓ３により彩度変化動画を繰り返し再生していても評価者２２が残像感を認識できなかったような場合には、判定入力機器２０の操作などで評価不能の操作を行うことから、これがステップＳ４で判別され、ステップＳ５で移動速度の異なる彩度変化動画に変更し、ステップＳ１からの彩度変化動画の表示を繰り返す。
【０１２５】
即ち、最初に表示している彩度変化動画で移動体の残像感が認識できない場合には、移動体の移動速度が遅すぎる場合があることから、この場合には移動速度を高めて彩度変化動画を表示し、評価者２２において、画面上を移動する移動体の彩度変化から残像感が出易いようにしている。なお移動体の速度を速くする以外に、背景色の異なる彩度変化動画に変更するようにしてもよい。
【０１２６】
図２１は自動読取モードによる図１６の第３実施形態における測定処理を示したフローチャートである。この自動読取モード測定処理にあっては、ステップＳ１〜Ｓ５は図２０のユーザ読取モードの測定処理と同じであるが、ステップＳ３で評価完了を判別した場合、ステップＳ６で図１６の判定位置検出部４２−３で残像感発生彩度を捉えた移動体位置を例えば動画のフレーム番号として検出し、ステップＳ７で残像感発生彩度検出部４４−３により、例えば動画管理テーブル２８−３から判定位置（判定フレーム番号）に対応した彩度を読み出し、画面表示するか、メモリに評価者ＩＤと共にログした後、ホスト２４側に転送して処理することになる。なお、この自動読取モードにおいても、必要に応じてユーザ読取モードと同様に、彩度マップ画像を切替え表示しても良い。
【０１２７】
また本発明は、図１，図９及び図１６の各実施形態における画質評価装置１２−１，１２−２，１２−３のそれぞれで実行する画質評価のためのプログラムを提供するものであり、このプログラムは、第１実施形態については図７と図８、第２実施形態については図１４と図１５、第３実施形態については図２０と図２１のそれぞれのフローチャートに示す内容となる。
【０１２８】
なお、上記の実施形態における第２実施形態、第３実施形態の輝度動画表示及び彩度動画表示については、画面上で移動体を一定速度で移動させているが、速度を変化させても構わない。
【０１２９】
また上記の実施形態にあっては、例えば第１実施形態にあっては画面上の位置において移動速度が例えば一定加速度で増加する速度変化動画を速度増加させながら表示しているが、作成した速度変化動画を逆方向に再生することで、移動体の移動速度を一定加速度で減少させながら表示させる動画表示としてもよい。
【０１３０】
この点は輝度変化動画及び彩度変化動画についても同様であり、最初、一方向のフレーム順の変化動画を再生し、続いて逆方向に変化する動画を表示し、これを繰り返すようにしてもよい。
【０１３１】
また上記の実施形態にあっては、移動速度、輝度、彩度を個別に変化させる評価動画を例にとっているが、速度、輝度、彩度のいずれか２つを組み合わせて変化させることも可能であるし、速度、輝度、彩度のすべてを組み合わせて変化させる動画としてもよい。
【０１３２】
また本発明は、その目的と利点を損なうことのない適宜の変形を含み、更に上記の実施形態に示した数値による限定は受けない。
【０１３３】
ここで本発明の特徴をまとめて列挙すると次の付記のようになる。
（付記）
（付記１）（方法：速度変化動画）
評価対象となる表示装置に、移動体の画面上の移動位置に応じて移動速度が変化する速度変化動画を表示する速度変化動画表示ステップと、
前記速度変化動画を見ている評価者が前記移動体の残像感を判定した際の判定操作信号を検出する判定操作検出ステップと、
前記判定操作信号を検出すると、前記速度変化動画を、前記移動体の画面上の移動位置に対応した速度を示す速度スケールを表示した速度マップ画面に切替えて表示する速度マップ表示ステップと、
を備えたことを特徴とする画質評価方法。（１）
【０１３４】
（付記２）（自動速度検出）
付記１記載の画質評価方法に於いて、
評価対象となる表示装置に、移動体の画面上の移動位置に応じて移動速度が変化する速度変化動画を表示する速度変化動画表示ステップと、
前記速度変化動画を見ている評価者が前記移動体の残像感を判定した際の判定操作信号から画面上の判定位置を検出する判定位置検出ステップと、
前記検出された判定位置に基づいて前記移動体の残像感発生速度を検出する残像感発生速度検出部と、
を備えたことを特徴とする画質評価方法。（２）
【０１３５】
（付記３）（輝度変化動画）
評価対象となる表示装置に、移動体の画面上の移動位置に応じて輝度が変化する輝度変化動画を表示する輝度変化動画表示ステップと、
前記輝度変化動画を見ている評価者が前記移動体の残像感を判定した際の判定操作信号を検出する判定操作検出ステップと、
前記判定操作信号を検出すると、前記輝度変化動画を、前記移動体の画面上の移動位置に対応した輝度を示す輝度スケールを表示した輝度マップ画面に切替えて表示する輝度マップ表示ステップと、
を備えたことを特徴とする画質評価方法。（３）
【０１３６】
（付記４）（自動速度検出）
評価対象となる表示装置に、移動体の画面上の移動位置に応じて輝度が変化する輝度変化動画を表示する輝度変化動画表示ステップと、
前記輝度変化動画を見ている評価者が前記移動体の残像感を判定した際の判定操作信号から画面上の判定位置を検出する判定位置検出ステップと、
前記検出された判定位置に基づいて前記移動体の残像感発生輝度を検出する残像感発生輝度検出部と、
を備えたことを特徴とする画質評価方法。
【０１３７】
（付記５）（彩度変化動画）
評価対象となる表示装置に、移動体の画面上の移動位置に応じて彩度が変化する彩度変化動画を表示する彩度変化動画表示ステップと、
前記彩度変化動画を見ている評価者が前記移動体の残像感を判定した際の判定操作信号を検出する判定操作検出ステップと、
前記判定操作信号を検出すると、前記彩度変化動画を、前記移動体の画面上の移動位置に対応した彩度を示す彩度スケールを表示した彩度マップ画面に切替えて表示する彩度マップ表示ステップと、
を備えたことを特徴とする画質評価方法。（４）
【０１３８】
（付記６）（自動速度検出）
評価対象となる表示装置に、移動体の画面上の移動位置に応じて彩度が変化する彩度変化動画を表示する彩度変化動画表示ステップと、
前記彩度変化動画を見ている評価者が前記移動体の残像感を判定した際の判定操作信号から画面上の判定位置を検出する判定位置検出ステップと、
前記検出された判定位置に基づいて前記移動体の残像感発生彩度を検出する残像感発生彩度検出部と、
を備えたことを特徴とする画質評価方法。
【０１３９】
（付記７）（プログラム：速度変化動画）
コンピュータを、
評価対象となる表示装置に、移動体の画面上の移動位置に応じて移動速度が変化する速度変化動画を表示する速度変化動画表示部、
前記速度変化動画を見ている評価者が前記移動体の残像感を判定した際の判定操作信号を検出する判定操作検出部、及び
前記判定操作信号を検出すると、前記速度変化動画を、前記移動体の画面上の移動位置に対応した速度を示す速度スケールを表示した速度マップ画面に切替えて表示する速度マップ表示部、
として機能させることを特徴とする画質評価プログラム。
【０１４０】
（付記８）（自動速度検出）
コンピュータを、
評価対象となる表示装置に、移動体の画面上の移動位置に応じて移動速度が変化する速度変化動画を表示する速度変化動画表示部、
前記速度変化動画を見ている評価者が前記移動体の残像感を判定した際の判定操作信号から画面上の判定位置を検出する判定位置検出部、及び、
前記検出された判定位置に基づいて前記移動体の残像感発生速度を検出する残像感発生速度検出部、
として機能させることを特徴とする画質評価プログラム。
【０１４１】
（付記９）（輝度変化動画）
コンピュータを、
評価対象となる表示装置に、移動体の画面上の移動位置に応じて輝度が変化する輝度変化動画を表示する輝度変化動画表示部、
前記輝度変化動画を見ている評価者が前記移動体の残像感を判定した際の判定操作信号を検出する判定操作検出部、及び、
前記判定操作信号を検出すると、前記輝度変化動画を、前記移動体の画面上の移動位置に対応した輝度を示す輝度スケールを表示した輝度マップ画面に切替えて表示する輝度マップ表示部、
として機能させることを特徴とする画質評価プログラム。
【０１４２】
（付記１０）（自動速度検出）
コンピュータを、
評価対象となる表示装置に、移動体の画面上の移動位置に応じて輝度が変化する輝度変化動画を表示する輝度変化動画表示部、
前記彩度変化動画を見ている評価者が前記移動体の残像感を判定した際の判定操作信号から画面上の判定位置を検出する判定位置検出部、及び
前記検出された判定位置に基づいて前記移動体の残像感発生輝度を検出する残像感発生輝度検出部、
として機能させることを特徴とする画質評価プログラム。
【０１４３】
（付記１１）（彩度変化動画）
コンピュータを、
評価対象となる表示装置に、移動体の画面上の移動位置に応じて彩度が変化する彩度変化動画を表示する彩度変化動画表示部、
前記彩度変化動画を見ている評価者が前記移動体の残像感を判定した際の判定操作信号を検出する判定操作検出部、及び、
前記判定操作信号を検出すると、前記彩度変化動画を、前記移動体の画面上の移動位置に対応した彩度を示す彩度スケールを表示した彩度マップ画面に切替えて表示する彩度マップ表示部、
として機能させることを特徴とする画質評価プログラム。
【０１４４】
（付記１２）（自動速度検出）
コンピュータを、
評価対象となる表示装置に、移動体の画面上の移動位置に応じて彩度が変化する彩度変化動画を表示する彩度変化動画表示部、
前記彩度変化動画を見ている評価者が前記移動体の残像感を判定した際の判定操作信号から画面上の判定位置を検出する判定位置検出部、及び、
前記検出された判定位置に基づいて前記移動体の残像感発生彩度を検出する残像感発生彩度検出部、
として機能させることを特徴とする画質評価プログラム。
【０１４５】
（付記１３）（装置：速度変化動画）
評価対象となる表示装置に、移動体の画面上の移動位置に応じて移動速度が変化する速度変化動画を表示する速度変化動画表示部と、
前記速度変化動画を見ている評価者が前記移動体の残像感を判定した際の判定操作信号を検出する判定操作検出部と、
前記判定操作信号を検出すると、前記速度変化動画を、前記移動体の画面上の移動位置に対応した速度を示す速度スケールを表示した速度マップ画面に切替えて表示する速度マップ表示部と、
を備えたことを特徴とする画質評価装置。
【０１４６】
（付記１４）（自動速度検出）
評価対象となる表示装置に、移動体の画面上の移動位置に応じて移動速度が変化する速度変化動画を表示する速度変化動画表示部と、
前記速度変化動画を見ている評価者が前記移動体の残像感を判定した際の判定操作信号から画面上の判定位置を検出する判定位置検出部と、
前記検出された判定位置に基づいて前記移動体の残像感発生速度を検出する残像感発生速度検出部と、
を備えたことを特徴とする画質評価装置。
【０１４７】
（付記１５）（輝度変化動画）
評価対象となる表示装置に、移動体の画面上の移動位置に応じて輝度が変化する輝度変化動画を表示する輝度変化動画表示部と、
前記輝度変化動画を見ている評価者が前記移動体の残像感を判定した際の判定操作信号を検出する判定操作検出部と、
前記判定操作信号を検出すると、前記輝度変化動画を、前記移動体の画面上の移動位置に対応した輝度を示す輝度スケールを表示した輝度マップ画面に切替えて表示する輝度マップ表示部と、
を備えたことを特徴とする画質評価装置。
【０１４８】
（付記１６）（自動輝度検出）
評価対象となる表示装置に、移動体の画面上の移動位置に応じて輝度が変化する輝度変化動画を表示する輝度変化動画表示部と、
前記輝度変化動画を見ている評価者が前記移動体の残像感を判定した際の判定操作信号から画面上の判定位置を検出する判定位置検出部と、
前記検出された判定位置に基づいて前記移動体の残像感発生輝度を検出する残像感発生輝度検出部と、
を備えたことを特徴とする画質評価装置。
【０１４９】
（付記１７）（彩度変化動画）
評価対象となる表示装置に、移動体の画面上の移動位置に応じて彩度が変化する彩度変化動画を表示する彩度変化動画表示部と、
前記彩度変化動画を見ている評価者が前記移動体の残像感を判定した際の判定操作信号を検出する判定操作検出部と、
前記判定操作信号を検出すると、前記彩度変化動画を、前記移動体の画面上の移動位置に対応した彩度を示す彩度スケールを表示した彩度マップ画面に切替えて表示する彩度マップ表示部と、
を備えたことを特徴とする画質評価装置。
【０１５０】
（付記１８）（自動彩度検出）
評価対象となる表示装置に、移動体の画面上の移動位置に応じて彩度が変化する彩度変化動画を表示する彩度変化動画表示部と、
前記速度変化動画を見ている評価者が前記移動体の残像感を判定した際の判定操作信号から画面上の判定位置を検出する判定位置検出部と、
前記検出された判定位置に基づいて前記移動体の残像感発生彩度を検出する残像感発生彩度検出部と、
を備えたことを特徴とする画質評価装置。
【図面の簡単な説明】
【０１５１】
【図１】速度変化画像を用いた本発明による画質評価装置の第１実施形態を示した説明図
【図２】図１の第１実施形態における動画管理テーブル、速度変化動画および速度マップ画像の作成処理を示した説明図
【図３】図１の第１実施形態における画質評価の測定処理を示した説明図
【図４】本実施形態の画質評価装置が実現されるコンピュータのハードウェア環境を示したブロック図
【図５】図１の第１実施形態における評価動画の作成処理を示したフローチャート
【図６】既存の動画を利用した図１の第１実施形態における評価動画の作成処理を示したフローチャート
【図７】ユーザ読取モードによる図１の第１実施形態における測定処理を示したフローチャート
【図８】自動読取モードによる図１の第１実施形態における測定処理を示したフローチャート
【図９】輝度変化画像を用いた本発明による画質評価装置の第２実施形態を示した説明図
【図１０】図９の第２実施形態における動画管理テーブル、輝度変化動画および輝度マップ画像の作成処理を示した説明図
【図１１】図９の第２実施形態における画質評価測定処理を示した説明図
【図１２】図９の第２実施形態における評価動画の作成処理を示したフローチャート
【図１３】既存の動画を利用した図９の第２実施形態における評価動画の作成処理を示したフローチャート
【図１４】ユーザ読取モードによる図９の第２実施形態における測定処理を示したフローチャート
【図１５】自動読取モードによる図９の第２実施形態における測定処理を示したフローチャート
【図１６】彩度変化画像を用いた本発明による画質評価装置の第３実施形態を示した説明図
【図１７】図１６の第３実施形態における動画管理テーブル、彩度変化動画および彩度マップ画像の作成処理を示した説明図
【図１８】図１６の第３実施形態における評価動画の作成処理を示したフローチャート
【図１９】既存の動画を利用した図１６の第３実施形態における評価動画の作成処理を示したフローチャート
【図２０】ユーザ読取モードによる図１６の第３実施形態における測定処理を示したフローチャート
【図２１】自動読取モードによる図１６の第３実施形態における測定処理を示したフローチャート
【図２２】従来のＭＰＲＴ法による測定処理の説明図
【符号の説明】
【０１５２】
１０：画質評価環境
１２−１〜１２−３：画質評価装置
１４：動画再生器
１６：液晶テレビ
１８：液晶パネル
２０：判定入力機器
２２：評価者
２４：ホスト
２６−１〜２６−３：評価動画作成部
２８−１〜２８−３：動画管理テーブル
３０−１：速度変化動画ファイル
３０−２：輝度変化動画ファイル
３０−３：彩度変化動画ファイル
３２−１：速度マップ画像ファイル
３２−２：輝度マップ画像ファイル
３２−３：彩度マップ画像ファイル
３４−１〜３４−３：制御部
３６−１：速度変化動画表示部
３６−２：輝度変化動画表示部
３６−３：彩度変化動画表示部
３８−１：速度マップ画像表示部
３８−２：輝度マップ画像表示部
３８−３：彩度マップ画像表示部
４０−１〜４０−３：判定操作検出部
４２−１〜４２−３：判定位置検出部
４４−１：残像感発生速度検出部
４４−２：残像感発生輝度検出部
４４−３：残像感発生彩度検出部
４６：速度変化動画
４６−１〜４６−ｎ，７８−１〜７８−ｎ，９２−１〜９２−ｎ：フレーム
４８−１〜４８−ｎ，８０−１〜８０−ｎ，９４−１〜９４−Ｎ：移動体
５０：速度マップ画像
５２：速度スケール
５４，８６：動画表示画面
５５，８８：マーカ
５６：速度マップ画面
５８：ＣＰＵ
６０：バス
６２：ＲＡＭ
６４：ＲＯＭ
６６：ハードディスクドライブ
６８：デバイスインタフェース
７０：キーボード
７２：マウス
７４：ディスプレイ
７６：ネットワークアダプタ
７８：輝度変化動画
８２：輝度マップ画像
８４：輝度スケール
９０：輝度マップ画像
９２：彩度変化動画
９４：彩度マップ画像
９６：彩度スケール
【図１】
0004763661.tif 000002
【図２】
0004763661.tif 000003
【図３】
0004763661.tif 000004
【図４】
0004763661.tif 000005
【図５】
0004763661.tif 000006
【図６】
0004763661.tif 000007
【図７】
0004763661.tif 000008
【図８】
0004763661.tif 000009
【図９】
0004763661.tif 000010
【図１０】
0004763661.tif 000011
【図１１】
0004763661.tif 000012
【図１２】
0004763661.tif 000013
【図１３】
0004763661.tif 000014
【図１４】
0004763661.tif 000015
【図１５】
0004763661.tif 000016
【図１６】
0004763661.tif 000017
【図１７】
0004763661.tif 000018
【図１８】
0004763661.tif 000019
【図１９】
0004763661.tif 000020
【図２０】
0004763661.tif 000021
【図２１】
0004763661.tif 000022
【図２２】
0004763661.tif 000023